(57)【特許請求の範囲】
【請求項１】
流体を昇圧して吐出する電動ポンプであって、
吸入口と吐出口とを有しており、吸入口と吐出口とに連通するポンプ室とポンプ室に連通するモータ室とを有する収容空間を画定するケーシングと、
ケーシングに取り付けられるステータと、
収容空間内に配置されるシャフトと、
収容空間内に配置され、シャフトに回転可能に取り付けられる回転子と、を備え、
回転子は、
シャフトの周りを一巡する内周面を有する本体と、
モータ室に位置しており、本体の外周面と間隔を開けて配置されるとともに、ステータと間隔を開けて配置される磁石と、を備え、
本体は、本体の内周面のモータ室側の端からシャフトに沿ってポンプ室まで伸びる溝を備えており、
本体の外周面と磁石との隙間は、溝に対して径方向外側に設けられるバランス孔を介してモータ室とポンプ室の低圧領域とを連通しており、
回転子は、本体の外周面と磁石との隙間に配置されているとともに、回転子の回転方向において溝と異なる位置に配置されており、本体の外周面のモータ室側の端からポンプ室に向かって伸びる障壁を、さらに備える、電動ポンプ。
【請求項２】
障壁は、本体の外周面から磁石に向かって突出している、請求項１に記載の電動ポンプ。
【請求項３】
障壁は、本体の外周面と磁石との隙間を複数の空間に分割する、請求項１又は２に記載の電動ポンプ。
【請求項４】
障壁は、本体の外周面のモータ室側の端よりもポンプ室と反対側に向かって伸びている、請求項１から３のいずれか一項に記載の電動ポンプ。
【請求項５】
障壁の回転子の回転方向前方側の面は、モータ室側からポンプ室側に向かって、回転子の回転方向前方に傾斜する、請求項１から４のいずれか一項に記載の電動ポンプ。
【請求項６】
障壁は、回転子の回転方向に間隔を開けて複数個配置されており、
各障壁の回転子の回転方向に沿った長さは、モータ室側からポンプ室側に向かって長くなる、請求項１から５のいずれか一項に記載の電動ポンプ。
【請求項７】
溝のモータ室側の端とモータ室とを連通する流路をさらに備え、
流路のモータ室側の端は、流路の溝側の端よりも、ポンプ室側に位置している、請求項１から６のいずれか一項に記載の電動ポンプ。
【発明の詳細な説明】
【技術分野】
【０００１】
本明細書は、流体を昇圧して吐出する電動ポンプに関する。
【背景技術】
【０００２】
特許文献１に、キャンドモータを有するキャンドモータポンプが開示されている。キャンドモータポンプは、キャンドモータとポンプ部とから構成されている。ポンプ部は、ケーシングと、吸入口と、吐出口と、ポンプ室と、インペラと、から構成されている。ポンプ室は、ケーシングに形成されており、インペラを収容する。キャンドモータによってインペラが回転されると、流体は、吸入口からポンプ室内に流入し、吐出口から吐出される。キャンドモータは、インペラを回転させる回転子と、回転子を回転可能に支持する固定軸と、を備える。回転子と固定軸との間には、液体が通過する流通経路が形成されている。モータ室に流入した液体の一部は、流通経路に浸入する。
【先行技術文献】
【特許文献】
【０００３】
【特許文献１】特開２００６−２１４４０７号公報
【発明の概要】
【発明が解決しようとする課題】
【０００４】
特許文献１の技術では、液体中に異物が混入している場合、異物が回転子と固定軸との間に侵入する可能性がある。異物が回転子と固定軸との間に侵入すると、異物によって回転子の回転が阻害される。
【０００５】
本明細書では、回転子とシャフトとの間に異物が浸入することを抑制し得る技術を提供する。
【課題を解決するための手段】
【０００６】
本明細書が開示する電動ポンプは、流体を昇圧して吐出する。電動ポンプは、ケーシングと、ステータと、シャフトと、回転子と、を備える。ケーシングは、吸入口と吐出口とを有する。ケーシングは、吸入口と吐出口とに連通するポンプ室とポンプ室に連通するモータ室とを有する収容空間を画定する。ステータは、ケーシングに取り付けられる。シャフトは、収容空間内に配置される。回転子は、収容空間内に配置され、シャフトに回転可能に取り付けられる。回転子は、シャフトの周りを一巡する内周面を有する本体と、モータ室に位置しており、本体の外周面と間隔を開けて配置されるとともに、ステータと間隔を開けて配置される磁石と、を備える。本体の外周面と磁石との隙間は、モータ室とポンプ室の低圧領域とを連通している。本体は、本体の内周面のモータ室側の端からシャフトに沿ってポンプ室まで伸びる溝を備えている。回転子は、本体の外周面と磁石との隙間に配置されているとともに、回転子の回転方向において溝と異なる位置に配置されており、本体の外周面のモータ室側の端からポンプ室に向かって伸びる障壁を、さらに備える。
【０００７】
電動ポンプは、通常、収容空間が流体で充満されている状態で使用される。回転子が回転すると、ケーシング外の流体は、吸入口からポンプ室内に吸入される。ポンプ室内では、流体の圧力は、回転子の回転中心付近で比較的に低く、回転中心から離間すると高くなる。流体は、昇圧されると、吐出口からポンプ室外に吐出される。昇圧された流体の一部は、回転子の外側からモータ室に流入する。モータ室に流入した流体は、低圧側、即ち、回転子の回転中心に向かって流れる。本体の外周面と磁石との隙間は、溝よりも外側に位置する。この結果、流体は、本体の外周面と磁石との隙間に流入する。これにより、溝に流体が流入することを抑制することができる。従って、流体に混入する異物が、回転子とシャフトの間に侵入することを抑制することができる。
【０００８】
また、本体の外周面と磁石との隙間には、障壁が配置されている。本体の外周面と磁石との隙間に流入した流体は、障壁によって、回転子の回転に伴って回転する。この結果、流体内の異物は、磁石の内周面側、即ち、回転子とシャフトとの間から離間する方向に移動される。これにより、流体に混入する異物が、回転子とシャフトの間に侵入することを抑制することができる。
【図面の簡単な説明】
【０００９】
【図１】第１実施例の電動ウォータポンプの概略断面図を示す。
【図２】第１実施例の回転子の底面図を示す。
【図３】第１実施例の障壁の下端部の拡大図を示す。
【図４】第２実施例の回転子の底面図を示す。
【図５】第２実施例の変形例の回転子の底面図を示す。
【図６】第３実施例の電動ウォータポンプの概略断面図を示す。
【図７】第３実施例の回転子の底面図を示す。
【図８】第４実施例の回転子の底面図を示す。
【図９】第５実施例の本体と障壁との底面図を示す。
【図１０】第５実施例の本体と障壁との斜視図を示す。
【図１１】第５実施例の変形例の回転子の底面図を示す。
【図１２】第６実施例の本体と障壁との斜視図を示す。
【図１３】変形例の障壁の下端部の拡大図を示す。
【図１４】変形例の障壁の下端部の拡大図を示す。
【発明を実施するための形態】
【００１０】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１１】
（特徴１）電動ポンプは、本体の外周面から磁石に向かって突出している障壁を備えていてもよい。この構成によれば、障壁によって、異物を磁石側、即ち、回転子とシャフトとの間から離間する方向に、適切に移動させることができる。
【００１２】
（特徴２）電動ポンプは、本体の外周面と磁石との隙間を複数の空間に分割する障壁を備えていてもよい。
【００１３】
（特徴３）電動ポンプは、本体の外周面のモータ室側の端よりもポンプ室と反対側に向かって伸びている障壁を備えていてもよい。この構成によれば、障壁のモータ室側の端部を、溝のモータ室側の端から離間することができる。この結果、障壁のモータ室側の端部付近で発生し得る乱流によって、溝内に異物が侵入することを抑制することができる。
【００１４】
（特徴４）電動ポンプは、回転子の回転方向前方側の面が、モータ室側からポンプ室側に向かって、回転子の回転方向前方に傾斜する障壁を備えていてもよい。この構成によれば、流体をモータ室側からポンプ室側に、スムーズに送出することができる。
【００１５】
（特徴５）電動ポンプは、回転子の回転方向に間隔を開けて配置される複数の障壁を備えていてもよい。各障壁の回転子の回転方向に沿った長さは、モータ室側からポンプ室側に進むのに従って長くてもよい。この構成によれば、モータ室側からポンプ室側に進むのに従って、隣り合う障壁間の間隔が狭くなる。この結果、隣り合う障壁間を、モータ室側からポンプ室側に向かって流れる流体の流速を高くすることができる。これにより、流体をモータ室側からポンプ室側に、スムーズに送出することができる。
【００１６】
（特徴６）電動ポンプは、溝のモータ室側の端とモータ室とを連通する流路を備えていてもよい。流路のモータ室側の端は、流路の溝側の端よりも、ポンプ室側に位置していてもよい。この構成によれば、モータ室からポンプ室に向かって流れる流体が、溝に流入することを抑制することができる。
【実施例】
【００１７】
（第１実施例）
（電動ウォータポンプ１０の構成）
電動ウォータポンプ１０は、例えば、自動車等の車両のエンジンルーム内に設置され、エンジンやインバータ等を冷却する冷却水を循環するために用いられる。図１に示すように、電動ウォータポンプ１０は、ポンプ部２０とモータ部４０とを備える。電動ウォータポンプ１０の外周は、ケーシング１２で構成されている。ケーシング１２は、上部ケーシング２８と、中間ケーシング４５と、下部ケーシング４６と、を備える。ケーシング１２は、収容空間１５を画定する。収容空間１５は、ポンプ室２１とモータ室４１とを備える。
【００１８】
（ポンプ部２０の構成）
ポンプ部２０は、上部ケーシング２８内に設けられている。ポンプ部２０では、上部ケーシング２８によって、吸入口２２と吐出口２３とポンプ室２１とが形成されている。また、ポンプ部２０は、インペラ２６を備える。
【００１９】
インペラ２６は、上部ケーシング２８に収容されている。インペラ２６は、図１の上方から見て円形状を有する。インペラ２６の中心部には貫通孔２６ａが形成されている。インペラ２６の貫通孔２６ａには、シャフト１６が挿入されている。電動ウォータポンプ１０に電力が供給されると、インペラ２６は、図１の下方から見て時計回り（以下、回転方向Ｒと呼ぶ）に回転する。インペラ２６の上面には、一定の間隔で複数枚の羽根２６ｂが形成されている。インペラ２６は、インペラ２６を上下方向に貫通する複数個のバランス孔２６ｃを有する。複数個のバランス孔２６ｃは、インペラ２６の中心付近に配置されている。ポンプ室２１には、インペラ２６の外周面と上部ケーシング２８の内周面との間に、冷却水経路２４が形成されている。
【００２０】
冷却水経路２４は、インペラ２６の外周（即ち回転方向Ｒ）に沿って形成されている。ＸＹ平面に平行な断面で見たときに、上部ケーシング２８の内周面は、回転方向Ｒに進むに従って、インペラ２６の外周から徐々に離間している。このため、冷却水経路２４の経路面積は、回転方向Ｒに従って、徐々に大きくなる。冷却水経路２４の経路面積が最大の位置には、吐出口２３が接続されている。吐出口２３は、冷却水経路２４の接線方向に伸びている。冷却水経路２４は、インペラ２６の周方向を一巡している。
【００２１】
図１に示すように、冷却水経路２４には、さらに、吸入口２２が接続されている。吸入口２２は、ポンプ部２０の上端に形成されている。吸入口２２は、インペラ２６の中心軸の延長線上に位置する。
【００２２】
（モータ部４０の構成）
モータ部４０は、ポンプ部２０の下方に配置されている。モータ部４０は、三相ブラシレスモータである。モータ部４０では、中間ケーシング４５によってモータ室４１が形成されている。中間ケーシング４５は、上方ケーシング１２の下端に液密に接触されている。中間ケーシング４５は、内側にモータ室４１を形成する円筒部分を有する。モータ部４０は、ブラシレスモータを構成する。モータ部４０は、シャフト１６と、回転子６０と、ステータ４４と、制御回路１８と、を備える。
【００２３】
ステータ４４は、中間ケーシング４５と円筒形状の下部ケーシング４６との間の空間内に、モータ室４１に対して液密に配置されている。なお、図１では、ステータ４４の縦断面が示されているが、図面の見易さのため、断面を表す平行斜線が省略されている。ステータ４４は、円筒形状を有する。ステータ４４は、複数個のコアプレートが積層されることによって構成されているコアを備える。コアには、コイル線が巻回された複数個のティースが設けられている。ティースの先端部は、ステータ４４の内周端に位置する。
【００２４】
ステータ４４は、モータ部４０の下端部に配置されている制御回路１８に、電気的に接続されている。制御回路１８は、ステータ４４への給電制御を行う。制御回路１８は、端子１４を介して、図示しない外部電源（例えば、車両に搭載されているバッテリ）に接続されている。制御回路１８は、外部電源から供給される電力をステータ４４に供給する。
【００２５】
シャフト１６は、収容空間１５内に配置されている。シャフト１６は、ケーシング１２内を上下方向に伸びており、その上端はポンプ部２０に達している。シャフト１６の下端は、ステータ４４の樹脂層４５に固定されている。シャフト１６には、回転子６０が回転可能に取り付けられている。シャフト１６は、中間位置に、シャフト１６の中心に向かって、下方に傾斜している対向面１６ａを有する。
【００２６】
（回転子６０の構成）
図１，２を参照して、回転子６０の構成を説明する。回転子６０は、モータ室４１に収容されている。回転子６０は、インペラ２６の下面に固定されている。回転子６０は、本体６２と、複数の障壁６４と、磁石６６と、円筒部６８と、を備える。本体６２は、インペラ２６の下面から下方に突出しており、モータ室４１内に収容されている。本体６２は、シャフト１６の中心軸に一致する中心軸を有する円筒形状を有する。本体６２の内周面は、シャフト１６の外周面と対向しており、シャフト１６の周囲を囲んでいる。本体６２の内周面は、インペラ２６の貫通孔２６ａの内周面に連続している。
【００２７】
本体６２の内周面には、複数の潤滑溝７０が配置されている。複数の潤滑溝７０は、本体６２の周方向に互いに離間して並んでいる。各潤滑溝７０は、シャフト１６の外周面から離間する方向に凹んでいる。各潤滑溝７０は、シャフト１６の軸方向に伸びている。各潤滑溝７０は、本体６２の内周面とインペラ２６の貫通孔２６ａの内周面とに形成されている。具体的には、各潤滑溝７０は、本体６２の下端（即ちモータ室４１側の端）から、本体６２の上端（即ちポンプ室２１側の端）とインペラ２６の下端とを越えて、インペラ２６の上端まで伸びている。
【００２８】
本体６２は、本体６２の外周から内周に向かって、下方に傾斜するテーパ状の下端面６２ａを有する。下端面６２ａは、シャフト１６の対向面１６ａに平行に配置され、間隔を開けて対向している。
【００２９】
本体６２の外周面には、複数の障壁６４が配置されている。複数の障壁６４は、本体６２の周方向に等間隔に並んでいる。各障壁６４は、各潤滑溝７０に対して、本体６２の周方向において異なる位置に配置されている。より詳細には、各障壁６４は、隣り合う２個の潤滑溝７０の間の中央に配置されている。なお、障壁６４は、隣り合う２個の潤滑溝７０の間の中央に配置されていなくてもよい。各障壁６４は、本体６２の外周面から、本体６２の径方向に伸びている。各障壁６４の先端は、円筒部６８の内周面に接触している。複数の障壁６４は、円筒部６８と本体６２との間の空間を分割する。各障壁６４の下端部６４ａは、本体６２よりも下方に位置している。図３に示すように、下端部６４ａの下端面６４ｂは、部分的な円筒形状を有する。
【００３０】
図１に示すように、円筒部６８は、インペラ２６の下端面から下方に突出しており、モータ室４１内に収容されている。円筒部６８は、本体６２の中心軸と一致する中心軸を有する円筒形状を有する。円筒部６８の内周面は、本体６２の外周面と対向しており、本体６２の周囲を囲んでいる。この構成では、本体６２の外周面と円筒部６８の内周面と隣り合う２個の障壁６４とによって、流路７２が画定されている。流路７２は、インペラ２６のバランス孔２６ｂに連通されている。円筒部６８の下端は、障壁６４の下端と同一の高さに位置する。なお、変形例では、円筒部６８の下端は、障壁６４の下端と同一の高さに位置しなくてもよい。
【００３１】
円筒部６８の外側には、磁石６６が配置されている。磁石６６は、円筒部６８の中心軸と一致する中心軸を有する円筒形状を有する永久磁石である。磁石６６の内周面は、円筒部６８の外周面に接触している。詳細には、磁石６６の内周側に円筒部６８を樹脂成形することによって、磁石６６と円筒部６８とを一体化する。これにより、円筒部６８が磁石６６を円筒部６８の外側で支持している。磁石６６では、磁石６６の周方向に、磁石６６のＳ極とＮ極とが交互に配置されている。
【００３２】
（電動ウォータポンプ１０の動作）
次に、電動ウォータポンプ１０の動作について説明する。なお、電動ウォータポンプ１０内、即ちポンプ室２１及びモータ室４１内は、予め冷却水で充満されている。潤滑溝７０内及び流路７２内にも、予め冷却水が充満している。車両が駆動されると、外部電源から端子１４を介して、電動ウォータポンプ１０に電力が供給される。制御回路１８は、ステータ４４のコイル線に、予め決められた順序で電圧を印加する。この結果、ステータ４４のティースのうち、シャフト１６を挟んで対向する２個のティースに、同じ相（即ちＵ，Ｖ，Ｗ相のいずれか）の電圧が印加される。
【００３３】
ステータ４４に電圧が印加されると、回転子６０は、シャフト１６回りに回転方向Ｒに回転する。潤滑溝７０に冷却水が充満されているために、回転子６０は、シャフト１６回りをスムーズに回転することができる。
【００３４】
インペラ２６は、回転子６０の回転に伴って回転する。冷却水は、インペラ２６の回転によって、吸入口２２からポンプ室２１内に吸入され、冷却水経路２４に流入する。ポンプ室２１内の冷却水の圧力は、インペラ２６の中心付近で最も低く、インペラ２６の外周に向かって高くなる。インペラ２６の中心付近は、比較的に低圧な冷却水が存在する低圧領域である。冷却水経路２４内の冷却水は、インペラ２６の回転によって昇圧されながら、冷却水経路２４内を回転方向Ｒに流れ、吐出口２３から冷却水経路２４外へ吐出される。この結果、電動ウォータポンプ１０の作動時には、冷却水経路２４内における冷却水の圧力は、吐出口近傍で最も高くなる。
【００３５】
冷却水経路２４は、モータ室４１に連通している。インペラ２６によって昇圧された冷却水経路２４内の冷却水は、モータ室４１内の冷却水よりも高圧になる。この結果、冷却水経路２４内の冷却水の一部は、冷却水経路２４からモータ室４１の外周部に流入する。これにより、モータ室４１内の冷却水の圧力は、モータ室４１の外縁、即ち、ステータ４４側で最も高く、シャフト１６に近づくほど低い。モータ室４１では、冷却水は、回転子６０の周面に沿って、下方に流れ、回転子６０の下方において、モータ室４１の外周側からシャフト１６に向かって流れる。
【００３６】
流路７２は、バランス孔２６ｃを介して、ポンプ室２１のインペラ２６の中心付近、即ち、低圧領域に連通している。このため、シャフト１６の下端付近の冷却水は、円筒部６８とシャフト１６と隣り合う２個の障壁６４との隙間から、上方に向かって流れて、流路７２に至る。この構成では、シャフト１６の下端付近に到達した冷却水は、流路７２に流入するため、シャフト１６に到達しにくい。これにより、潤滑溝７０に到達する冷却水量を抑制することができる。流路７２に流入した冷却水は、流路７２をモータ室４１側からポンプ室２１側、即ち上方に向かって流れる。そして、流路７２からインペラ２６のバランス孔２６ｃを通過して、ポンプ室２１の低圧領域に到達する。この構成から明らかなように、低圧領域とは、流路７２内の冷却水の圧力よりも低圧な冷却水が存在する領域を表す。
【００３７】
電動ウォータポンプ１０の冷却水の循環経路（即ち車両内の冷却水の経路）には、例えば、循環経路の作製中に出た金属、樹脂等の異物が混入する場合がある。これらの異物が吸入口２２から吸入されると、異物は冷却水経路２４を流れる過程で、モータ室４１に侵入する。異物を含む冷却水が潤滑溝７０に流入すると、異物がシャフト１６と本体６２との隙間に入り込んで、回転子６０のスムーズな回転を阻害する可能性がある。電動ウォータポンプ１０によれば、潤滑溝７０に冷却水が流入することを抑制することができるため、冷却水に含まれる異物が、シャフト１６と本体６２との隙間に入り込むことを抑制することができる。
【００３８】
また、冷却水は、本体６２の下端面６２ａとシャフト１６の対向面１６ａとの隙間の外周の外側を、下方から上方に向かって流れる。下端面６２ａと対向面１６ａとは、本体６２の外周端からシャフト１６の中心軸に向かって下方に傾斜している。即ち、下端面６２ａと対向面１６ａとの隙間は、冷却水が流れる方向と逆方向に傾斜している。このため、冷却水は、下端面６２ａと対向面１６ａとの隙間に流入しにくい。この構成によれば、冷却水が、下端面６２ａと対向面１６ａとの隙間を介して、潤滑溝７０に流入することを回避することができる。
【００３９】
また、各障壁６４は、各潤滑溝７０に対して、本体６２の周方向において異なる位置に配置されている。これにより、障壁６４の回転に伴って発生する乱流によって、冷却水が潤滑溝７０に流入することを回避することができる。さらに、各障壁６４の下端面６４ｂは、部分的な円筒形状を有する。このため、下端面６４ｂ付近に乱流が発生することを抑制することができる。この結果、乱流によって、冷却水が下端面６２ａと対向面１６ａとの隙間を介して、潤滑溝７０に流入することを回避することができる。
【００４０】
（第２実施例）
図４を参照して、第１実施例と異なる点を説明する。本実施例では、回転子６０は、障壁６４に代えて、障壁１６４を有する。図４に示すように、障壁１６４は、障壁６４と同様に、本体６２の外周面から円筒部６８の内周面まで伸びている。障壁１６４は、本体６２の下端と同じ位置から下方に伸びており、障壁６４の下端面６４ｂと同様の下端面１６４ａを有する。
【００４１】
障壁１６４は、ＸＹ平面に平行な断面では、本体６２から円周部６８に向かうのに従って、回転方向Ｒと反対側に位置するように、湾曲している。この結果、回転子６０が回転すると、冷却水内の異物を、円筒部６８側、即ち、シャフト１６から離間する方向に向かって移動させることができる。この構成によれば、シャフト１６と本体６２との間に、異物が侵入することを抑制することができる。
【００４２】
（第２実施例の変形例）
第２実施例の障壁１６４は、湾曲している。しかしながら、図５に示すように、障壁２６４は、湾曲してなくてもよい。なお、障壁２６４は、下端面１６４ａと同様の下端面２６４ａを有していてもよい。
【００４３】
（第３実施例）
図６、図７を参照して、第１実施例と異なる点を説明する。本実施例では、回転子６０は、障壁６４に代えて、障壁３６４を有する。図６に示すように、障壁３６４は、本体６２の外周面から円筒部６８に向かって突出している。障壁３６４の円筒部６８側の端は、円筒部６８から離間しており、円筒部６８と本体６２との間の空間を分割していない。円筒部６８と本体６２との間に形成される流路７２は、障壁３６４によって分割されておらず、本体６２の周りを一巡する。障壁３６４の下端面は、本体６２の下端面６２ａと同一の平面上に位置する。障壁３６４の下端面は、下端面６４ａと同様に部分的な円筒形状を有している。図７に示すように、障壁３６４は、半円柱形状を有する。
【００４４】
（第４実施例）
図８を参照して、第３実施例と異なる点を説明する。本実施例では、回転子６０は、障壁３６４に代えて、障壁４６４を有する。障壁４６４は、障壁３６４と同様に、本体６２の外周面から円筒部６８に向かって突出しており、円筒部６８から離間している。障壁４６４は、本体６２から円筒部６８に向かうのに従って、回転方向Ｒと反対側に位置するように傾斜している。
【００４５】
（第５実施例）
図９、図１０を参照して、第１実施例と異なる点を説明する。図９、図１０では、本体６２と障壁５６４とが抜粋して示されている。本実施例では、回転子６０は、障壁６４に代えて、障壁５６４を有する。障壁５６４は、円筒部６８の内周面まで伸びている。障壁５６４は、Ｚ軸方向、即ち、モータ室６１側からポンプ室２１側に向かって、回転方向Ｒに傾斜している。この構成によれば、冷却水を、ポンプ室２１側に向かってスムーズに流すことができる。
【００４６】
（第５実施例の変形例）
第５実施例の障壁５６４は、円筒部６８の内周面まで伸びている。しかしながら、図１１に示すように、障壁６６４は、円筒部６８の内周面から離間していてもよい。この場合、障壁６６４は、ＸＹ平面に平行な断面において、半円形状を有していてもよい。
【００４７】
（第６実施例）
図１２を参照して、第１実施例と異なる点を説明する。本実施例では、回転子６０は、障壁６４に代えて、障壁７６４を有する。障壁７６４は、Ｚ軸方向、即ち、モータ室６１側からポンプ室２１側に向かって、回転方向Ｒに伸びている。言い換えると、障壁７６４の回転方向Ｒ側に位置する面は、回転方向Ｒ側に傾斜している。この構成では、流路７２の流路面積は、Ｚ軸方向に進むのに従って小さくなる。この構成によれば、流路７２を流れる冷却水がポンプ室２１側に向かうのに従って、冷却水の流速を上昇させることができる。この結果、冷却水を、適切にポンプ室２１に流出させることができる。
【００４８】
以上、本明細書が開示する技術の実施例について詳細に説明したが、これらは例示にすぎず、本明細書が開示する電動ポンプは、上記の実施例を様々に変形、変更したものが含まれる。
【００４９】
（１）上記の第１実施例では、障壁６４の下端面６４ａは、部分的な円筒形状を有する。しかしながら、障壁６４は、下端面６４ａに代えて、図１３に示す下端面６４ｃを有していてもよい。下端面６４ｃは、回転方向Ｒと反対方向に進むのに従って、下方に向かって湾曲した後に、上方に向かって湾曲してもよい。あるいは、障壁６４は、下端面６４ａに代えて、図１４に示す下端面６４ｄを有していてもよい。下端面６４ｄは、回転方向Ｒと反対方向に進むのに従って、下方に向かって湾曲してもよい。
【００５０】
（２）上記の各実施例では、回転子６０は、磁石６６を支持する円筒部６８を備える。しかしながら、回転子６０は、円筒部６８を備えていなくてもよい。この場合、例えば、回転子６０は、本体６２に対して、磁石６６を固定する固定部材を有していてもよい。
【００５１】
（３）上記の各実施例では、障壁６４等は、本体６２の外周面から突出する。しかしながら、障壁は、本体６２から離間していてもよい。この場合、障壁６４等は、インペラ２６の下端面から下方に伸びていてもよく、円筒部６８から本体６２に向かって突出していてもよい。
【００５２】
（４）本明細書の「電動ポンプ」は、冷却水以外の流体、例えば、燃料、飲料水等に利用してもよい。また、本明細書の「電動ポンプ」は、ブラシレスのモータに代えて、例えばブラシ付のモータを備えていてもよい。
【００５３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００５４】
１０：電動ウォータポンプ、１２：ケーシング、１５：収容空間、１６：シャフト、２０：ポンプ部、２１：ポンプ室、２２：吸入口、２３：吐出口、２６：インペラ、４０：モータ部、４１：モータ室、４４：ステータ、６０：回転子、６２：本体、６４：障壁、６６：磁石、７０：潤滑溝
【図１】
0006309389.tif 000002
【図２】
0006309389.tif 000003
【図３】
0006309389.tif 000004
【図４】
0006309389.tif 000005
【図５】
0006309389.tif 000006
【図６】
0006309389.tif 000007
【図７】
0006309389.tif 000008
【図８】
0006309389.tif 000009
【図９】
0006309389.tif 000010
【図１０】
0006309389.tif 000011
【図１１】
0006309389.tif 000012
【図１２】
0006309389.tif 000013
【図１３】
0006309389.tif 000014
【図１４】
0006309389.tif 000015